(57)【特許請求の範囲】
【請求項１】
ポンプ及び該ポンプの駆動モータが収納され、下部に流入口を開口し上端部に流出口を開口した下部ケースと、前記駆動モータへの電線が配設された配線管を収納し、前記流出口に接続された液路パイプと、流入口が前記液路パイプの上端部に接続され、流出口が給液配管に接続される頭部ケースとを有するサブマージブルポンプにおいて、前記頭部ケースには、配線管が接続された配線引出室と、該室に連通した端子接続室と、該端子接続室に連通した配線引込室とが設けられ、配電盤からの電線は配線引込室を介して端子接続室へ引き込まれ、駆動モータからの電線は配線管及び配線引出室を介して端子接続室へ引き込まれ、端子接続室内で両電線は結線され、配線引込室の上部開口は電線クランプボルトで閉塞され、配線引出室と端子接続室との上部開口はネジ蓋で閉塞され、両ネジ蓋には錠締め構造の蓋開防止部材を係合したことを特徴としたサブマージブルポンプ。
【請求項２】
前記錠締め構造の蓋開防止部材は、基体と該基体から延びる２本の腕とを有し、基体はボルトにより前記頭部ケースに固定され、各腕は前記配線引出室と端子接続室との蓋の上部にそれぞれ当接している請求項１のサブマージブルポンプ。
【請求項３】
前記基体は底にボルト孔を開けた有底円筒であり、該円筒内にボルトの頭部は没入している請求項２のサブマージブルポンプ。
【発明の詳細な説明】
【０００１】
【発明の属する技術分野】
本発明は、ガソリンなどの可燃性液体を送液するサブマージブルポンプ、特に地下に埋設された貯油タンクに設置され、自動車に燃料油を供給する計量機に送油するサブマージブルポンプの改良に関するものである。
【０００２】
【従来の技術】
この種のサブマージブルポンプとしては、米国の特許第３１９７０８５号が知られている。図３に示すように、地下に埋設された貯油タンクＴに設置されたサブマージブルポンプＰからの給液配管Ｌは、計量機Ｄに接続されている。また事務所Ｏに設けられた分電盤Ｂからの電線Ｅは、サブマージブルポンプＰに接続され、計量機Ｄの給油ノズルＮを計量機Ｄから外すとサブマージブルポンプＰが駆動され、貯油タンクＴ内の油は、給液配管Ｌを介して計量機Ｄに送液され、給油ノズルＮより自動車へ給油される。ところで、サブマージブルポンプＰの頭部ケースＨはマンホールＭ内に位置され、この頭部ケースＨにはチェック弁やリークディテクターなどの機械的部分と接続端子などの電気的部分が配置され、マンホールＭの蓋を除けば頭部ケースＨは露出し、各部分の保守点検ができるようになっている。そしてこれら各部分はネジ蓋によって閉じられ、隣接して設けられているので、機械的部分のネジ蓋を開けるつもりが、電気的部分のネジ蓋を開け、間違いに気付いてネジ蓋を閉じるが、この時にガソリン蒸気が浸入したまま閉じられ、通電時にガソリン蒸気に引火して各機器を損傷することがあった。
【０００３】
【発明が解決しようとする課題】
そこで本発明は、機械的部分と間違えて電気配線部分の蓋を外すことがないようにして、安全性を高めたサブマージブルポンプを提供することを目的とする。
【０００４】
【課題を解決するための手段】
上記目的を達成するために、本発明のサブマージブルポンプは、ポンプ及び該ポンプの駆動モータが収納され、下部に流入口を開口し上端部に流出口を開口した下部ケースと、前記駆動モータへの電線が配設された配線管を収納し、前記流出口に接続された液路パイプと、流入口が前記液路パイプの上端部に接続され、流出口が給液配管に接続される頭部ケースとを有するサブマージブルポンプにおいて、前記頭部ケースには、配線管が接続された配線引出室と、該室に連通した端子接続室と、該端子接続室に連通した配線引込室とが設けられ、配電盤からの電線は配線引込室を介して端子接続室へ引き込まれ、駆動モータからの電線は配線管及び配線引出室を介して端子接続室へ引き込まれ、端子接続室内で両電線は結線され、配線引込室の上部開口は電線クランプボルトで閉塞され、配線引出室と端子接続室との上部開口はネジ蓋で閉塞され、両ネジ蓋には錠締め構造の蓋開防止部材を係合している。
【０００５】
また、前記錠締め構造の蓋開防止部材は、基体と該基体から延びる２本の腕とを有し、基体はボルトにより前記頭部ケースに固定され、各腕は前記配線引出室と端子接続室との蓋の上部にそれぞれ当接しているので、１個の蓋開防止部材で２カ所の電気的部分の封印ができる。さらに、前記基体は底にボルト孔を開けた有底円筒であり、該円筒内にボルトの頭部は没入しているので、特殊な工具でなければボルトは外すことができず、誤操作により外されることがなくなり安全である。
【０００６】
【発明の実施の形態】
以下、本発明の実施の形態を図面に基づいて説明する。図１に示すように、サブマージブルポンプは地下の貯油タンクＴ内に配置される下部ケース１と、地表のマンホールＭ内に配置される頭部ケースＨと、両ケースを接続する液路パイプ１０とより構成されている。
【０００７】
下部ケース１内にはポンプ２とこのポンプの駆動モータ３とが収納され、下部ケース１の下端側面には流入口４が開口され、上端には流出口５が設けられている。この流出口５には液路パイプ１０が螺合し、また駆動モータ３のケースには電線管１１が接続され、この電線管１１は液路パイプ１０内に配設され、駆動モータ３への電線１２が配線されている。
【０００８】
次に、頭部ケースＨを説明すると、頭部ケースＨのハウジング２１の下面に形成された流入口２２には前記した液路パイプ１０が螺合され、また前記した電線管１１は配線引出室２３に螺合されている。流入口２２はチェック弁２４及びリークディテクター２５を介して流出口２６に連通し、流出口２６には計量機Ｄへの給液配管Ｌが接続されている。電線管１１内を挿通した電線１２は配線引出室２３を介して端子接続室２７に引き出され、この端子接続室２７内で配線引込室２８を介して引き込まれた配電盤Ｂからの電線Ｅに接続されている。配線引出室２３及び端子接続室２７はネジ蓋２９、３０により密閉され、そして配線引込室２８に引き込まれた電線Ｅはパッキン３１及び電線クランプボルト３２によりハウジング２１に気密に固定されている。
【０００９】
図３にも示すように、配線引出室２３及び端子接続室２７のネジ蓋２９、３０には錠締め構造の蓋開防止部材４０が係合されている。この蓋開防止部材４０は、基体４１とこの基体４１から延びる２本の腕４２、４３とを有し、基体４１はボルト４４により前記頭部ケースＨのハウジング２１に固定され、各腕４２、４３は前記配線引出室２３と端子接続室２７とのネジ蓋２９、３０の上部にそれぞれ当接している。前記基体４１は底にボルト孔を開けた有底円筒であり、該円筒内にボルト４４の頭部は没入している。
【００１０】
このように構成された本発明のサブマージブルポンプＰでは、計量機ＤのノズルＮを外すとその信号が配電盤Ｂに伝わり、配電盤Ｂから電線Ｅを介して駆動モータ３に電力が供給され、駆動モータ３が回動してポンプ２が駆動される。そして流入口４から吸引された油は、液路パイプ１０を通って頭部ケースＨへ圧送され、チェック弁２４及びリークディテクター２５を介して給液配管Ｌへ流出する。
【００１１】
そして、サブマージブルポンプＰの保守点検をする場合には、マンホールＭの蓋を開けておこなうが、配線引出室２３及び端子接続室２７のネジ蓋２９、３０には、錠締め構造の蓋開防止部材４０が係合されているので、特殊な工具がなければ蓋開防止部材４０を外すことができない。このために、間違えて電気配線部分のネジ蓋を開け、ガソリン蒸気が浸入して引火し、各機器を損傷することがない。そして専門の修理業者は、特殊な工具により錠締め構造の蓋開防止部材４０を外して修理をすることができる。なお、機械的部分は電気的部分のような危険性はないので、錠締め構造の蓋開防止部材を設ける必要はない。
【００１２】
【発明の効果】
以上説明したように本発明のサブマージブルポンプは、ポンプ及び該ポンプの駆動モータが収納され、下部に流入口を開口し上端部に流出口を開口した下部ケースと、前記駆動モータへの電線が配設された配線管を収納し、前記流出口に接続された液路パイプと、流入口が前記液路パイプの上端部に接続され、流出口が給液配管に接続される頭部ケースとを有するサブマージブルポンプにおいて、前記頭部ケースには、配線管が接続された配線引出室と、該室に連通した端子接続室と、該端子接続室に連通した配線引込室とが設けられ、配電盤からの電線は配線引込室を介して端子接続室へ引き込まれ、駆動モータからの電線は配線管及び配線引出室を介して端子接続室へ引き込まれ、端子接続室内で両電線は結線され、配線引込室の上部開口は電線クランプボルトで閉塞され、配線引出室と端子接続室との上部開口はネジ蓋で閉塞され、両ネジ蓋には錠締め構造の蓋開防止部材を係合したので、特殊な工具がなければ電気配線部分の蓋を外すことができなくなり、従来のように、機械的部分のネジ蓋を開けるつもりが、電気的部分のネジ蓋を開け、間違いに気付いてネジ蓋を閉じ、この時に浸入したガソリン蒸気が電気火花で引火して各機器を損傷するような事故が防止できる。
【図面の簡単な説明】
【図１】本発明のサブマージブルポンプの構造を示す断面図である。
【図２】本発明のサブマージブルポンプの頭部ケースの斜視図である。
【図３】サブマージブルポンプを設置した給油所の説明図である。
【符号の説明】
Ｔ・・・貯油タンク
Ｐ・・・サブマージブルポンプ
Ｌ・・・給液配管
Ｄ・・・計量機
Ｎ・・・ノズル
Ｈ・・・頭部ケース
Ｍ・・・マンホール
Ｏ・・・事務所
Ｅ・・・電線
１・・・下部ケース
２・・・ポンプ
３・・・駆動モータ
４・・・流入口
５・・・流出口
１０・・・液路パイプ
１１・・・電線管
１２・・・電線
２１・・・ハウジング
２２・・・流入口
２３・・・配線引出室
２４・・・チェック弁
２５・・・リークディテクター
２６・・・流出口
２７・・・端子接続室
２８・・・電線引込室
２９、３０・・・ネジ蓋
３２・・・電線クランプボルト
３１・・・パッキン
４０・・・蓋開防止部材
４１・・・基体
４２、４３・・・腕
４４・・・ボルト
【図１】
0003603448.tif 000002
【図２】
0003603448.tif 000003
【図３】
0003603448.tif 000004